(57)【特許請求の範囲】
【請求項１】
リモートコントローラにより制御されるラックサーバシステムであって：
複数のサーバユニットであって、前記複数のサーバユニットの各々が
ベースボード管理コントローラ（ＢＭＣ）、
サーバ端コネクタ、及び
前記ＢＭＣと前記サーバ端コネクタとの間の通信動作を調節するために前記サーバ端コネクタ及び前記ＢＭＣに結合されたサーバ端スイッチ、
を有する、複数のサーバユニット；並びに
中間平面基板であって、
一体型コネクタ、及び
各々のサーバユニットの前記ＢＭＣと前記一体型コネクタとの間の通信動作を調節するために前記一体型コネクタ及び各々のサーバユニットの前記サーバ端スイッチに結合された内部スイッチ、
を有する、中間平面基板；
を有するラックサーバシステムであり、
前記リモートコントローラは、前記サーバラックシステムの各々のサーバユニットを制御するために各々のサーバユニットの前記サーバ端コネクタ及び前記一体型コネクタの一を介して前記ラックサーバシステムの各々のサーバユニットに選択的に接続される；
各々のサーバユニットが：
前記サーバ端スイッチに結合され、インターポーザ基板インターフェースを介して前記内部スイッチに接続されるインターポーザ基板；
を更に有する、ラックサーバシステムであり、
前記インターポーザ基板は、前記インターポーザ基板インターフェースに接続されたバスコネクタを更に有し、各々のサーバ端スイッチは、バスを介して前記インターポーザ基板に結合される；
ラックサーバシステム。
【請求項２】
請求項１に記載のラックサーバシステムであって、前記リモートコントローラは、サーバ管理プロトコルを介して各々のサーバユニットの前記ＢＭＣと通信する、ラックサーバシステム。
【請求項３】
請求項１に記載のラックサーバシステムであって、各々のサーバユニットの前記サーバ端スイッチは、ＲＭＩＩ（Ｒｅｄｕｃｅｄ  Ｍｅｄｉａ  Ｉｎｄｅｐｅｎｄｅｎｔ  Ｉｎｔｅｒｆａｃｅ）を介して前記ＢＭＣと通信する、ラックサーバシステム。
【請求項４】
請求項１に記載のラックサーバシステムであって、各々のサーバユニットの前記サーバ端スイッチは、ローカルエリアネットワーク（ＬＡＮ）通信プロトコルに従って前記サーバ端コネクタと通信し、各々のサーバユニットの前記サーバ点スイッチは、ＬＡＮ通信プロトコルに従って前記内部スイッチと通信する、ラックサーバシステム。
【請求項５】
リモートコントローラにより制御されるラックサーバシステムであって：
Ｍ個のサーバユニット群であって、前記Ｍ個のサーバユニット群の各々はＮ個のサーバユニットを有し、ここで、Ｍ及びＮは１より大きい自然数であり、前記Ｎ個のサーバユニットの各々は、
ベースボード管理コントローラ（ＢＭＣ）、
サーバ端コネクタ、及び
前記ＢＭＣと前記サーバ端コネクタとの間の通信動作を調節するために前記サーバ端コネクタ及び前記ＢＭＣに結合されたサーバ端スイッチ、
を有する、複数のサーバユニット群；並びに
中間平面基板であって、
Ｍ個の一体型コネクタ、及び
前記Ｍ個の一体型コネクタ及び前記Ｎ個のサーバユニットのそれぞれに結合されたＭ個の内部スイッチであって、前記Ｍ個の内部スイッチの各々は、前記Ｎ個のサーバユニットの各々の前記ＢＭＣと対応する一体型コネクタとの間の通信動作を調節するために前記対応する一体型コネクタ及び対応するサーバの前記Ｎ個のサーバユニットの各々の前記サーバ端スイッチに結合される、Ｍ個の内部スイッチ、
を有する、中間平面基板；
を有する、ラックサーバシステムであり、
前記リモートコントローラは、前記サーバラックシステムの各々のサーバユニットを制御するために各々のサーバユニットの前記サーバ端コネクタ及び前記Ｍ個の一体型コネクタの一を介して前記ラックサーバシステムの各々のサーバユニットに選択的に接続され；
各々のサーバユニットは：
対応するサーバ端スイッチに結合され、インターポーザ基板インターフェースを介して前記内部スイッチに接続されるインターポーザ基板；
を更に有する、ラックサーバシステムであり、
前記インターポーザ基板は、前記インターポーザ基板インターフェースに接続されたバスコネクタを更に有し、各々のサーバ端スイッチは、バスを介して前記インターポーザ基板に結合される；
ラックサーバシステム。
【請求項６】
請求項５に記載のラックサーバシステムであって、前記リモートコントローラは、サーバ管理プロトコルを介して各々のサーバユニットの前記ＢＭＣと通信する、ラックサーバシステム。
【請求項７】
請求項５に記載のラックサーバシステムであって、各々のサーバユニットの前記サーバ端スイッチは、ＲＭＩＩ（Ｒｅｄｕｃｅｄ  Ｍｅｄｉａ  Ｉｎｄｅｐｅｎｄｅｎｔ  Ｉｎｔｅｒｆａｃｅ）を介して前記ＢＭＣと通信する、ラックサーバシステム。
【請求項８】
請求項５に記載のラックサーバシステムであって、各々のサーバユニットの前記サーバ端スイッチは、ローカルエリアネットワーク（ＬＡＮ）通信プロトコルに従って前記対応するサーバ端コネクタと通信し、各々のサーバユニットの前記サーバ端スイッチは、ＬＡＮ通信プロトコルに従って前記対応する内部スイッチと通信する、ラックサーバシステム。
【発明の詳細な説明】
【技術分野】
【０００１】
本発明はラックサーバシステムに関し、特に、ラックサーバシステムの各々のサーバシステムが、各々のサーバユニットのベースボード管理コントローラ（ＢＭＣ）とリモートコントローラとの間の通信経路を管理するためのサーバ端スイッチを有する、ラックサーバシステムに関する。
【背景技術】
【０００２】
従来、ブレーダサーバ（ｂｌａｄｅｒ  ｓｅｒｖｅｒ）は、多くの用途で広範に使用されてきている。一般に、ブレーダサーバは集中型であり、ユーザに対する使い勝手を向上させるために従来のラックシステムに備えられるものである。従来のラックは、スイッチ回路を介してすべてのブレーダサーバに接続され、ブレーダサーバと外部ネットワークドメインとの間のデータ送信の動作を管理する。しかしながら、ラックシステムに対してよりフレキシブルなネットワークルート構成をどのように提供するかは、当該業界における優先的タスクとなっている。
【０００３】
米国特許第６９２００４９号明細書においては、ブレード（ｂｌａｄｅ）ＰＣシャーシのためのシャーシ設計について開示されている。複数のブレードが、対向する面及び複数のブレードの各々の面板がシャーシの前面及び背面に対して実質的に垂直であるように、シャーシ内に備えられる。複数のブレードは少なくとも１つのサーバブレードを有する。１つ又はそれ以上のファンが、シャーシの前側又は後側に位置付けられ、故に、１つ又はそれ以上のファンの入口又は出口における流路は、複数のブレードの各々の対向面及び面板に対して実質的に平行である。
【先行技術文献】
【特許文献】
【０００４】
【特許文献１】米国特許第６９２００４９号明細書
【発明の概要】
【発明が解決しようとする課題】
【０００５】
本発明は、リモートコントローラにより制御されるラックサーバシステムに関する。
【課題を解決するための手段】
【０００６】
そのラックサーバシステムは、各々がベースボード管理コントローラ（ＢＭＣ）を有する複数のサーバユニットと、サーバ端コネクタと、ＢＭＣ及びサーバ端コネクタに接続されたサーバ端スイッチと、を有する。本発明のラックサーバシステムは、一体型コネクタと、その一体型コネクタ及びサーバ端スイッチに接続された内部スイッチと、を有する中間平面基板を更に有する。リモートコントローラは、サーバラックシステムの各々のサーバユニットを制御するための、複数のサーバユニットの複数のサーバ端コネクタ及び一体型コネクタの一を介してラックサーバシステムの各々のサーバユニットに選択的に接続される。従来のラックサーバシステムに比較して、本発明のラックサーバシステムは、よりフレキシブルなネットワークルート構成を提供するように、複数のサーバユニットの複数のサーバ端コネクタ及び一体型コネクタの一を介してリモートコントローラに選択的に接続される。
【０００７】
本発明の特徴に従って、リモートコントローラにより制御されるラックサーバシステムが提供される。ラックサーバシステムは、複数のサーバユニット及び中間平面基板を有する。各々のサーバユニットは、ベースボード管理コントローラ（ＢＭＣ）、サーバ端コネクタ及びサーバ端スイッチを有する。サーバ端スイッチは、ＢＭＣとサーバ端コネクタとの間の通信動作を調節するためのサーバ端コネクタ及びＢＭＣに結合される。中間平面基板は、一体型コネクタ及び内部スイッチを有する。内部スイッチは、サーバ端スイッチと一体型コネクタとの間の通信動作を調節するために一体型コネクタ及び各々のサーバユニットのサーバ端スイッチに結合される。リモートコントローラは、サーバラックシステムの各々のサーバユニットを制御するために複数のサーバユニットの複数のサーバ端コネクタ及び一体型コネクタの一を介してラックサーバシステムの各々のサーバユニットに選択的に接続される。
【０００８】
本発明の他の特徴に従って、リモートコントローラにより制御されるラックサーバシステムが提供される。ラックサーバシステムは、Ｍ個のサーバユニット及び中間変面基板を有する。Ｍ個のサーバユニットの各々はＮ個のサーバユニットを有し、Ｎ個のサーバユニットの各々は、ＢＭＣ、サーバ端コネクタ及びサーバ端スイッチを有し、ここで、Ｍ及びＮは１より大きい自然数である。サーバ端スイッチは、ＢＭＣとサーバ端コネクタとの間の通信動作を調節するためにサーバ端コネクタ及びＢＭＣに結合される。中間平面基板は、Ｍ個の一体型コネクタ及びＭ個の内部スイッチを有する。Ｍ個の内部スイッチは、Ｍ個の一体型コネクタ及びＭ個のサーバユニットのそれぞれに結合される。Ｍ個の内部スイッチの各々は、Ｎ個のサーバユニットの各々のＢＭＣと対応する一体型コネクタとの間の通信動作を調節するために対応する一体型コネクタ及び対応するサーバユニットのＮ個のサーバユニットの各々のサーバ端スイッチに結合される。リモートコントローラは、サーバラックシステムの各々のサーバユニットを制御するために複数のサーバユニットの複数のサーバ端コネクタ及びＭ個の一体型コネクタの一を介してラックサーバシステムの各々のサーバユニットに選択的に接続される。
【０００９】
本発明の上記の及び他の特徴については、好適な且つ非制限的な実施形態についての以下の詳述により十分に理解することができる。以下の詳述は、添付図を参照している。
【図面の簡単な説明】
【００１０】
【図１】本発明の第１の実施形態に従ったラックサーバシステムのブロック図である。
【図２】本発明の第１の実施形態に従ったラックサーバシステムの他のブロック図である。
【図３】本発明の第２の実施形態に従ったラックサーバシステムのブロック図である。
【図４】本発明の第１の実施形態に従ったラックサーバシステムの他のブロック図である。
【発明を実施するための形態】
【００１１】
第１の実施形態
図１を参照するに、本発明の第１の実施形態に従ったラックサーバシステムのブロック図を示している。ラックサーバシステムは、対応する動作を実行するリモートコントローラ３０により制御される。例えば、リモートコントローラ３０は、ネットワーク経路を介してラックサーバシステムに接続され、サーバ管理プロトコルに従ってラックサーバシステムと通信する。
【００１２】
ラックサーバシステムは、ｎ個のサーバユニット１０＿１，１０＿２，．．．，１０＿ｎ及び中間平面基板２０を有し、サーバユニット１０＿１乃至１０＿ｎの各々は、対応するインターフェースを介して中間平面基板２０に接続される。例えば、インターポーザ基板構造を有するサーバユニット１０＿１乃至１０＿ｎの各々は、周辺機器相互接続エクスプレス（ＰＣＩ−Ｅ）コネクタを介して中間平面基板２０に接続される。
【００１３】
例えば、サーバユニット１０＿１乃至１０＿ｎの回路構造及び動作は同じであり、サーバユニット１０＿１乃至１０＿ｎの第１サーバユニット１０＿１の例示により、下で詳述される。
【００１４】
サーバユニット１０＿１は、ベースボード管理コントローラ（ＢＭＣ）１０ａ、サーバ端コネクタ１０ｂ及びサーバ端スイッチ１０ｃを有する。例えば、サーバ端スイッチ１０ｃは複数の接続ポートを有し、それらの複数の接続ポートのうちの２つがＢＭＣ及びサーバ端コネクタのそれぞれに結合される。サーバ端スイッチ１０ｃは更に、ＢＭＣ１０ａとサーバ端コネクタ１０ｂとの間のデータ送信の動作を対応して調節する。例えば、サーバユニット１０＿１のサーバ端スイッチ１０ｃは、ＲＭＩＩ（Ｒｅｄｕｃｅｄ  Ｍｅｄｉａ  Ｉｎｄｅｐｅｎｄｅｎｔ  Ｉｎｔｅｒｆａｃｅ）を介してＢＭＣと通信し、サーバ端スイッチ１０は、ローカルエリアネットワーク（ＬＡＮ）通信プロトコルに従ってサーバ端コネクタと通信する。
【００１５】
中間平面基板２０は、一体型コネクタ２０ｂ及び内部スイッチ２０ｃを有する。内部スイッチ２０ｃは、ｎ個のサーバユニット１０＿１乃至１０＿ｎのサーバ端スイッチ１０ｃにそれぞれ結合されたｎ個の接続ポートを有する。内部スイッチ２０ｃは、一体型コネクタ２０ｂに結合された接続ポートを更に有する。内部スイッチ２０ｃは、サーバユニット１０＿１乃至１０＿ｎの各々のＢＭＣ１０ａと一体型コネクタ２０ｂとの間のデータ通信の動作を対応して管理するためにサーバユニット１０＿１乃至１０＿ｎの各々のＢＭＣと一体型コネクタ２０ｂとの間の通信動作を調節する。
【００１６】
例えば、サーバユニット１０＿１乃至１０＿ｎの各々のサーバ端スイッチ１０ｃはＬＡＮ通信プロトコルに従って内部スイッチ２０ｃと通信する。実施例においては、サーバユニット１０＿１乃至１０＿ｎの各々のインターポーザ基板構造はＰＣＩ−Ｅコネクタに接続されたバスコネクタを更に有し、サーバユニット１０＿１乃至１０＿ｎの各々のサーバ端スイッチ１０ｃは対応するバスを介してインターポーザ基板に接続される。例えば、バスコネクタは例えば、ＳＡＴＡ（Ｓｅｒｉａｌ  Ａｄｖａｎｃｅｄ  Ｔｅｃｈｎｏｌｏｇｙ  Ａｔｔａｃｈｍｅｎｔ）コネクタであり、バスはＳＡＴＡバスである。
【００１７】
リモートコントローラ３０は、サーバユニット１０＿１乃至１０＿ｎを制御するためにサーバユニット１０＿１乃至１０＿ｎの各々のＢＭＣ１０ａと通信するようにサーバユニット１０＿１乃至１０＿ｎの各々のサーバ端コネクタ１０ｂ及び一体型コネクタ２０ｂを介してラックサーバシステムのサーバユニット１０＿１乃至１０＿ｎの各々に選択的に接続される。
【００１８】
実施形態においては、リモートコントローラ３０は、通信リンクＣ１を介して一体型コネクタ２０ｂに接続される。内部スイッチ２０ｃの切り換え動作を介して、リモートコントローラ３０は、サーバユニットを制御するためにサーバユニット１０＿１乃至１０＿ｎの各々のＢＭＣ１０ａと通信することが可能である。
【００１９】
図２を参照するに、本発明の第１の実施形態に従ったラックサーバシステムの他のブロック図が示されている、他の実施形態においては、リモートコントローラ３０は、通信リンクＣ２を介してサーバユニット１０＿１乃至１０＿ｎの１つのサーバユニットのサーバ端コネクタ１０ｂに接続される。例えば、リモートコントローラ３０は、通信リンクＣ２を介してサーバユニット１０＿１のサーバ端コネクタ１０ｂに接続される。サーバユニット１０＿１のサーバ端スイッチ１０ｃの切り換え動作を介して、リモートコントローラ３０は、サーバユニットを制御するためにサーバユニット１０＿１のＢＭＣ１０ａと通信することが可能である。更に、サーバ端スイッチ１０ｃと内部スイッチ２０ｃとの間の切り換え動作を介して、リモートコントローラ３０は、サーバユニットを制御するために対応する通信リンクを介して残りの（ｎ−１）個のサーバユニット１０＿２乃至１０＿ｎのＢＭＣ１０ａと通信することが可能である。
【００２０】
換言すれば、ラックサーバシステムはサーバユニット１０＿１のサーバ端コネクタ１０ｂを介してリモートコントローラ３０に接続されるにも拘わらず、リモートコントローラ３０は更に、サーバユニットを制御するためにサーバユニットのサーバ端スイッチ１０ｃと内部スイッチ２０ｃとの間の切り換え動作を介してラックサーバシステムの残りのサーバユニット１０＿２乃至１０＿ｎと通信することが可能である。
【００２１】
本発明のこの実施形態においては、リモートコントローラ３０は、通信リンクＣ２を介してサーバユニット１０＿１のサーバ端コネクタ１０ｂに接続される。しかしながら、本発明のこの実施形態のラックサーバシステムは、上記の例示に限定されるものではない。他の実施例においては、リモートコントローラ３０はまた、サーバユニット１０＿１乃至１０＿ｎのすべてを制御するためにサーバユニット１０＿２乃至１０＿ｎのいずれかのサーバ端コネクタを介して接続されることが可能である。
【００２２】
要約すれば、サーバユニット１０＿１乃至１０＿ｎの各々のサーバ端スイッチ１０ｃと内部スイッチ２０ｃとの間の切り換え動作を介して、ラックサーバシステムのすべてのコネクタ（サーバユニット１０＿１乃至１０＿ｎの各々のサーバ端コネクタ１０ｂ及び一体型コネクタ２０ｂを含む）は同じネットワークルート機能を実質的に提供する。
【００２３】
他の動作の実施例においては、ラックサーバシステムのすべての接続は、同じネットワークルート機能を実質的に提供するために、ユーザは、ラックサーバシステムのサーバユニットの数を対応して増加させるために他のラックサーバシステムのいずれかのコネクタに直列に接続されるようにラックサーバシステムのいずれかのコネクタを選択することが可能である。更に、それら２つのラックサーバシステムのすべての接続ポートは同じネットワークルート機能を実質的に提供する。
【００２４】
本発明のこの実施形態においては、ラックサーバシステムの中間平面基板２０は、ｎ個のサーバユニット１０＿１乃至１０＿ｎを対応して接続するための内部スイッチ２０ｃ及び一体型コネクタ２０ｂを有する。しかしながら、本発明のこの実施形態のラックサーバシステムは上記の例示に限定されるものではない。他の実施例においては、図２に示すように、ラックサーバシステムの中間平面基板２０’は、ｍ個の内部スイッチ２０ｃ＿１，２０ｃ＿２，．．．，２０ｃ＿ｍ及びｍ個の一体型コネクタ２０ｂ＿１，２０ｂ＿２，．．．，２０ｂ＿ｍを更に有することが可能である。
【００２５】
ｍ個の内部スイッチ２０ｃ＿１乃至２０ｃ＿ｍは、信号を切り換えるために、ｍ個のサーバユニット群１００＿１，１００＿２，．．．，１００＿ｍのそれぞれに結合される。ｍ個の一体型コネクタ２０ｂ＿１乃至２０ｂ＿ｍはｍ個の内部スイッチ２０ｃ＿１乃至２０ｃ＿ｍのそれぞれに結合され、ラックサーバシステムのネットワーク接続として用いられる。ｍ個のサーバユニット群１００＿１乃至１００＿ｍは例えば、ｎ個のサーバユニット１０＿１１乃至１０＿１ｎ，１０＿２１乃至１０＿２ｎ，．．．，１０＿ｍ１乃至１０＿ｍｎを有する。換言すれば、図２に示すラックサーバシステムは例えば、ｍｘｎ個のサーバユニットを有する。
【００２６】
第２の実施形態
図３を参照するに、本発明の第２の実施形態に従ったラックサーバシステムのブロック図が示されている。本発明のこの実施形態のラックサーバシステムは主に、本発明のこの実施形態のラックサーバシステムがｍ個のサーバユニット群１００＿１，１００＿２，．．．，１００＿ｍを有する点で、第１の実施形態のラックサーバシステムと異なり、ｍ個のサーバユニット群１００＿１乃至１００＿ｍの各々の回路構造は第１の実施形態のラックサーバシステムの回路構造と類似している。ｍ個のサーバユニット群１００＿１乃至１００＿ｍの各々は、ｎ個のサーバユニットと、内部スイッチと、一体型コネクタを有し、ここで、ｍは１より大きい自然数である。
【００２７】
例えば、ｍ個のサーバユニット群１００＿１乃至１００＿ｍの回路構造は実質的に同じであり、第１サーバユニット群１００＿１は、ｍ個のサーバユニット群１００＿１乃至１００＿ｍを説明するための例示として用いられている。
【００２８】
第１サーバユニット群１００＿１を例示とみなす。第１サーバユニット群１００＿１は、ｎ個のサーバユニット１０’＿１乃至１０’＿ｎと、内部スイッチ２０ｃ＿１と、２つの一体型コネクタ２０ｂ＿１及び２０ｄ＿１とを有する。サーバユニット１０’＿１乃至１０’＿ｎの各々の回路構造は、図１のサーバユニット１０＿１の回路構造と実質的に同じであり、サーバユニット１０’＿１乃至１０’＿ｎの各々は、ＢＭＣ、サーバ端スイッチ及びサーバ端コネクタを有する。
【００２９】
内部スイッチ２０ｃ＿１は、サーバユニット１０’＿１乃至１０’＿ｎの各々のＢＭＣと一体型コネクタ２０ｂ＿１及び２０ｄ＿１との間のデータ送信の動作を対応して管理するために、サーバユニット１０’＿１乃至１０’＿ｎの各々のＢＭＣと一体型コネクタ２０ｂ＿１及び２０ｄ＿１との間の通信動作を調節するように、サーバユニット１０’＿１乃至１０’＿ｎの各々及び一体型コネクタ２０ｂ＿１及び２０ｄ＿１に結合される。
【００３０】
一体型コネクタ２０ｂ＿１は、通信リンクＣ１’を介してリモートコントローラ３０’に接続される。内部スイッチ２０ｃ＿１の切り換え動作を介して、リモートコントローラ３０’は、サーバユニットを制御するために第１サーバユニット群１００＿１のサーバユニット１０’＿１乃至１０’＿ｎの各々のＢＭＣと通信することが可能である。
【００３１】
一体型コネクタ２０ｄ＿１は、内部通信リンクＣＩ＿１を介して第１サーバユニット群１００＿２の一体型コネクタ２０ｂ＿２に接続される。例えば、第２サーバユニット１００＿２，第３サーバユニット１００＿３，．．．，（ｍ−１）番目のサーバユニット１００＿ｍ−１の一体型コネクタ２０ｄ＿２，２０ｄ＿３，．．．，２０ｄ＿ｍ−１は、サーバユニット群１００＿３，１００＿４，．．．，１００＿ｍの一体型コネクタ２０ｂ＿３、２０ｂ＿４，．．．，２０ｂ＿ｍに直列に接続される。換言すれば、ｍ個のサーバユニット群１００＿１乃至１００＿ｍは、対応する内部通信リンクＣＩ＿１，ＣＩ＿２，．．．，ＣＩ＿ｍ−１を介して直列に対応して接続され、サーバユニット群１００＿１乃至１００＿ｍは、通信リンクＣ１’を介してリモートコントローラ３０’に更に接続される。換言すれば、本発明のこの実施形態のラックサーバシステムは、１つのみの通信リンクＣ１’及び（ｍ−１）個の内部通信リンクＣＩ＿１乃至ＣＩ＿ｍ−１によりｍｘｎ個のサーバユニットのすべてのネットワークルートを完成させる。
【００３２】
要約すれば、通信リンクＣ１’及び内部通信リンクＣＩ＿１乃至ＣＩ＿ｍ−１を介して、ｍ個のサーバユニット群１００＿１乃至１００＿ｍは互いに直列に接続され、リモートコントローラ３０’に接続されることが可能である。更に、ｍ個のサーバユニット群１００＿１乃至１００＿ｍの内部スイッチ２０ｃ＿１乃至２０ｃ＿ｍの切り換え動作を介して、リモートコントローラ３０’は、サーバラックシステムの各々のサーバユニットを制御するためにｍ個のサーバユニット群１００＿１乃至１００＿ｍの各々のすべてのサーバユニット１０’＿１乃至１０’＿ｎのＢＭＣと対応して通信する。
【００３３】
図４を参照するに、本発明の第２の実施形態に従ったラックサーバシステムの他のブロック図が示されている。例示として、ｍ個のサーバユニット群１００＿１乃至１００＿ｍの各々が、サーバユニットのいずれかのサーバ端コネクタを介してリモートコントローラ３０’に接続されることが可能である。例えば、通信リンクＣ２’が、第１サーバユニット群１００＿１の第１サーバユニット１０’＿１のサーバ端コネクタとリモートコントローラ３０’との間で確立され、リモートコントローラ３０’は、サーバラックシステムの各々のサーバユニットを制御するために通信リンクＣ２’を介して第１サーバユニット１０’＿１のＢＭＣと通信する。
【００３４】
更に、リモートコントローラ３０’は、例えば、サーバラックシステムの各々のサーバユニットを制御するために第１サーバユニット群１０’＿１のサーバ端スイッチの切り換え動作を介して、第１サーバユニット群１００＿１の残りのサーバユニット１０’＿２乃至１０’＿ｎのＢＭＣと通信し、サーバラックシステムの各々のサーバユニットを制御するために内部スイッチ２０ｃ＿１乃至２０ｃ＿ｍの切り換え動作を介して、ｍ個のサーバユニット群１００＿１乃至１００＿ｍのすべてのサーバユニットのＢＭＣと更に通信する。
【００３５】
本発明の上記実施形態において開示しているリモートコントロールにより制御されるタックサーバシステムは、各々がＢＭＣを有する複数のサーバユニット、サーバ端コネクタ、並びにＢＭＣ及びサーバ端コネクタに接続されたサーバ端スイッチを有する。この実施形態のラックサーバシステムは、一体型コネクタ、並びに一体型コネクタ及びサーバ端スイッチに接続された内部スイッチを有する中間平面基板を更に有する。リモートコントローラは、サーバラックシステムの各々のサーバユニットを制御するために複数のサーバユニットの複数のサーバ端コネクタ及び一体型コネクタの一を介してラックサーバシステムの各々のサーバユニットに選択的に接続される。従来のラックサーバシステムと比較して、本発明の上記の実施形態のラックサーバシステムは、よりフレキシブルなネットワークルート構成を提供するように、一体型コネクタ又はサーバ端コネクタの一を介してリモートコントローラに選択的に接続される。
【００３６】
更に、本発明の上記の実施形態のラックサーバシステムの各々のサーバユニットは、インターポーザ基板及びバスコネクタの一を介して対応する接続インターフェース（例えば、ＰＣＩ−Ｅコネクタ又はＳＡＴＡコネクタ）を有する中間平面基板に選択的に接続される。更に、本発明のこの実施形態の一部のラックサーバシステムは、１つのみの通信リンク及び（ｍ−１）個の内部通信リンクを有するｍｘｎ個のサーバユニットのすべてのネットワークルートを完成させることが可能である。従来のラックサーバシステムと比較して、上記の接続インターフェースの配備を有する、本発明の上記実施形態のラックサーバシステムは、必要なネットワークルートの数を減少させ、ラックサーバシステムの管理を改善する有利点を更に有する。
【００３７】
本発明は、好適な実施形態に関して及び例示として説明されているが、本発明はそれに限定されないことが理解される必要がある。それとは対照的に、本発明は、種々の修正、類似する構成及び手段を網羅するように意図され、故に、同時提出の特許請求の範囲における範囲は、そのような修正、類似する構成及び手段を包含するように、最も広い解釈が与えられるべきものである。
【符号の説明】
【００３８】
１０＿ｎ  サーバユニット
１０ａ  ベースボード管理コントローラ（ＢＭＣ）
１０ｂ  サーバ端コネクタ
１０ｃ  サーバ端スイッチ
２０  中間平面基板
２０ｂ  一体型コネクタ
２０ｃ  内部スイッチ
３０  リモートコントローラ
【図１】
0005541601.tif 000002
【図２】
0005541601.tif 000003
【図３】
0005541601.tif 000004
【図４】
0005541601.tif 000005